(57)【要約】【課題】外付け部材等を外壁表面に取り付けることにおいて、防腐処理が必要な木材による下地を廃し、防水シートの防水性能を低下させることのない下地部材およびその固定方法を提供する。【解決手段】下地部材１は、例えば金属製の下地プレート１１にガイド開口部２１と係合部２２とからなるビス取付部２が４個形成されて成る。上記ガイド開口部２１は、ビス３の本体部の挿通と当該ビス３に対する上記挿通の方向と直交する横方向への上記下地プレート１のスライドを可能にする。上記係合部２２は、上側部２２ａと下側部２２ｂとからなり、上記下地プレート１１を横方向にスライドさせた位置で、上記ビス３の頭部の上側の一部と下側の一部に接することで上記頭部に係合する。【選択図】図１
2015090045.tif 000002
【特許請求の範囲】
【請求項１】
下地プレートにガイド開口部と係合部とからなる締結具取付部が複数形成されており、上記ガイド開口部は、締結具の挿通と当該締結具に対する上記挿通の方向と直交する方向への上記下地プレートのスライドを可能にし、上記係合部は、上記下地プレートをスライドさせた位置で、上記締結具の頭部の上部側の一部と下部側の一部に接して上記頭部に係合することを特徴とする下地部材。
【請求項２】
請求項１に記載の下地部材において、各締結具取付部が２組のガイド開口部および係合部を有しており、上記２組における２つのガイド開口部がその長辺方向を交差させるように位置することを特徴とする下地部材。
【請求項３】
請求項２に記載の下地部材において、上記２つのガイド開口部は鉤状に連続していることを特徴とする下地部材。
【請求項４】
請求項１〜請求項３のいずれか１項に記載の下地部材において、上記下地プレートは長方形に形成されていることを特徴とする下地部材。
【請求項５】
請求項１〜請求項４のいずれか１項に記載の下地部材の下地プレートと建物側の構成部との間に離間を確保する治具を介在させた状態で、上記締結具を上記ガイド開口部に挿通し、上記締結具の先端側を建物側の柱部材または板部材に装着し、上記下地プレートを横方向にスライドさせて、上記締結具の頭部を上記係合部に係合させることを特徴とする下地部材の固定方法。
【発明の詳細な説明】
【技術分野】
【０００１】
この発明は、物干し金具などの外付け部材を外壁表面に取り付けるために外壁裏面に配置される下地部材およびその固定方法に関する。
【背景技術】
【０００２】
特許文献１には、壁面に外付け部材を取り付けるための外壁パネルが開示されている。上記外壁パネルは、壁パネルと、上記壁パネルの外面側でかつ外付け部材の取り付け位置に設けられた下地部材と、上記壁パネルの外面側に下地部材を介して設けられた外装材とを備えて構成されている。また、外付け部材は、外壁パネルの壁面に取り付けられる取り付け部とアーム部とを有し、取り付け部に少なくとも一本の六角コーチスクリュー釘が下地部材を介して壁パネルの横芯材に達する状態で打ち込まれて壁面に取り付けられている。
【０００３】
ところで、上記下地部材が木材からなる場合には、この下地部材に防腐剤を浸透させる防腐処理が施される。さらに、外壁の通気層から浸入した雨水が室内側に浸透するのを防止するために、上記下地部材と壁下地要素（柱や断熱材等）との間に防水シートが貼られる。
【先行技術文献】
【特許文献】
【０００４】
【特許文献１】特開平１０−２１９８８０号公報
【発明の概要】
【発明が解決しようとする課題】
【０００５】
しかしながら、上記外付け部材を外壁表面に取り付けることにおいて、上記木材の下地部材を用いる場合、浸入した雨水によって上記下地部材から防腐剤が溶け出し、この防腐剤が上記防水シートの防水性能を低下させるという問題があった。
【０００６】
この発明は、上記の事情に鑑み、外付け部材を外壁表面に取り付けることにおいて、防腐処理が必要な木材による下地を廃し、防水シートの防水性能を低下させることのない下地部材およびその固定方法を提供することを課題とする。
【課題を解決するための手段】
【０００７】
この発明の下地部材は、上記の課題を解決するために、下地プレートにガイド開口部と係合部とからなる締結具取付部が複数形成されており、上記ガイド開口部は、締結具の挿通と当該締結具に対する上記挿通の方向と直交する方向への上記下地プレートのスライドを可能にし、上記係合部は、上記下地プレートをスライドさせた位置で、上記締結具の頭部の上部側の一部と下部側の一部に接して上記頭部に係合することを特徴とする。
【０００８】
上記の構成であれば、上記締結具であるビスや釘等をその頭部が柱等から離間するように打ち込み、上記頭部に上記下地部材の係合部を係合させることで、当該下地部材を上記柱等から離間させ通気層を確保した状態で設けることができる。そして、外付け部材を取り付けるビス等を外壁表面から上記下地プレートに打ち込むことで、外付け部材を上記外壁表面に取り付けることができる。このように、上記外付け部材を外壁表面に取り付けることにおいて、防腐処理が必要な木材による下地を廃することができるので、防水シートを用いてもその防水性能を低下させることがない。
【０００９】
各締結具取付部が２組のガイド開口部および係合部を有しており、２組における２つのガイド開口部がその長辺方向を交差させるように位置してもよい。これによれば、上記２組の締結具取付部のうちいずれかを選択し、１つの下地部材において適宜の姿勢を選択して下地プレートを配置することができる。
【００１０】
上記２つのガイド開口部は鉤状に連続してもよい。これによれば、上記締結具の挿通箇所の共通化が図られ、作業が容易になる。
【００１１】
上記下地プレートは長方形に形成されてもよい。これによれば、例えば上記下地プレートを縦長配置にして柱に縦に固定する態様、或いは、横長配置にして桟木等に横に固定する態様とすることができる。
【００１２】
また、この発明の下地部材の固定方法は、上記いずれかの下地部材の下地プレートと建物側の構成部との間に離間を確保する治具を介在させた状態で、上記締結具を上記ガイド開口部に挿通し、上記締結具の先端側を建物側の柱部材または板部材に装着し、上記下地プレートをスライドさせて、上記締結具の頭部を上記係合部に係合させることを特徴とする。これによれば、上記治具によって上記下地部材と建物側の構成部との間に適切な離間距離（通気層）を確保して上記下地部材を上記建物側の構成部に固定することができる。なお、厚みの異なる上記治具を適宜使用することで、離間距離（通気層）の調整を容易にすることができる。
【発明の効果】
【００１３】
本発明であれば、外付け部材等を外壁表面に取り付けることにおいて、防腐処理が必要な木材による下地を廃し、防水シートの防水性能を低下させないという効果を奏する。
【図面の簡単な説明】
【００１４】
【図１】この発明の実施形態の下地部材を示した正面図である。
【図２】同図（Ａ）は図１のａ−ａ断面部を示した説明図であり、同図（Ｂ）は図１のｂ−ｂ断面部を示した説明図であり、同図（Ｃ）は図１のｃ−ｃ断面部を示した説明図である。
【図３】同図（Ａ）は図１の下地部材が取り付けられた建物の外壁部分の平面図であり、同図（Ｂ）は同正面図である。
【図４】図１の下地部材の取り付け構造を示した説明図である。
【図５】図１の下地部材およびこれにクリップ装着した治具を示した正面図である。
【図６】図１の下地部材の取り付けにおける治具の使用説明図である。
【図７】他の実施形態の下地部材を示した正面図である。
【図８】同図（Ａ）および同図（Ｂ）はそれぞれ他の実施形態の下地部材を示した正面図である。
【発明を実施するための形態】
【００１５】
以下、この発明の実施の形態を添付図面に基づいて説明する。
図１および図２に示すように、この発明の実施形態の下地部材１は、例えばステンレス板或いは防錆処理された鋼板などからなる下地プレート１１にガイド開口部２１と係合部２２とからなるビス取付部（締結具取付部）２が４個形成されている。上記ガイド開口部２１は、ビス（締結具）３の本体部３１の挿通と当該ビス３に対する上記挿通の方向と直交する横方向への上記下地プレート１１のスライドを可能にする。また、上記係合部２２は、上側部（下地部材１の設置状態では手前部）２２ａと下側部（下地部材１の設置状態では奥側部）２２ｂとからなり、上記下地プレート１１を横方向にスライドさせた位置で、上記ビス３の頭部３２の上側（下地部材１の設置状態では手前側）の一部と下側（下地部材１の設置状態では奥側）の一部に接して上記頭部３２に係合する。
【００１６】
上記ガイド開口部２１は、上記下地プレート１１においてプレス成形された凹部の底側（下地部材１の設置状態では奥側）に形成されており、その幅寸法は上記ビス３の本体部３１の直径よりも大きく、上記頭部３２の直径よりも小さくされている。上記凹部の幅寸法は上記頭部３２の直径と略同じであり、上記凹部の底縁部の一部が上記係合部２２の下側部２２ｂとなる。また、上記下側部２２ｂとなる部位には、上記ガイド開口部２１を部分的に切り欠いた半円切欠部２１ａが形成されており、上記スライド位置で上記半円切欠部２１ａに上記ビス３の本体部３１の上側円周部が嵌まり、上記下地プレート１１の横ずれが生じ難くなっている。
【００１７】
上記係合部２２の上側部２２ａとなる部位は、プレス成形されるときに上記凹部とされる部位から切断分離されて上側の位置を維持する。上記上側部２２ａの突出長さは、上記凹部の開始縁から上記ガイド開口部２１の縁までの長さとなる。また、上記上側部２２ａの幅は、上記ビス３の頭部３２の直径よりも狭くされている。このように狭くされると、上記上側部２２ａの横の上記凹部をなす部位が上記ビス３の頭部３２の下に位置することになり、この下に位置する部位も上記係合部２２の下側部となることができる。
【００１８】
上記下地プレート１１は上記ガイド開口部２１の長辺方向に平行な辺を有する長方形に形成されている。そして、各ビス取付部２が上記ガイド開口部２１と係合部２２からなる組を２組有し、上記２組における２個のガイド開口部２１はその長辺方向を交差させている。さらに、上記２個のガイド開口部２１は鉤状に接続されており、この接続の箇所で上記ビス３の本体部３１の挿通が行われるようになっている。また、上記接続の箇所の上角部には、上記ガイド開口部２１を部分的に切り欠いた半円切欠部２１ｂが形成されており、この半円切欠部２１ｂが在ることで上記ビス３を挿通しやすくなっている。なお、上記半円切欠部２１ｂの形成部開口を上記ビス３の頭部３２の直径よりも大きくしておいて、上記ビス３３の仮打ち後或いは本打ち込み後に上記ガイド開口部２１に上記ビス３３を挿通させて、上記下地部材１を取り付けるようにすることも可能である。
【００１９】
図３に示すように、建物の外壁側には、柱５および間柱５１が設けられている。上記柱５の外面側には、例えば、厚さ９ｍｍ程度の合板６１および厚さ３０ｍｍ程度の断熱材６２が貼られており、さらに厚さ１５ｍｍ程度の通気層６３を介して厚さ１８ｍｍ程度の外装面材６４が貼られている。上記断熱材６２の外面側には図示しない防水シートが設けられている。そして、外付け部材７（図４参照）を取り付ける箇所に、施工現場において上記断熱材６２の外側から例えば上記間柱５１に上記ビス３が縦に２本打ち込まれる。上記ビス３は上記下地部材１の縦並びの２つのビス取付部２の各々のガイド開口部２１に挿通された状態で打ち込まれ、この打ち込みが完了した後に、上記下地プレート１１が横方向にスライドされる。図３に示した例では、上記下地プレート１１が左方向にスライドされる。上記下地プレート１１の取り付けが完了した後、上記外装面材６４を、その裏面が上記下地プレート１１に接するようにして胴縁に相当する金具に固定する。なお、このときに、上記下地プレート１１を上記外装面材６４の裏面に接着剤で固定することも可能である。
【００２０】
図４は上記外装面材６４の外側から外付け部材取付ビス７ａを打ち込んで外付け部材７を固定した状態を示している。上記外付け部材取付ビス７ａはその先端が上記下地部材１の下地プレート１１に到達する長さを有する。上記下地プレート１１は、下穴無しで上記外付け部材取付ビス７ａの先端が貫通できる肉厚に設計される。
【００２１】
図５および図６に示すように、上記下地部材１を取り付けるときには、治具８を用いることができる。この治具８は、上記下地部材１と建物側の構成部である上記断熱材６２のとの間に離間を確保する離間形成部８ａと、上記下地部材１の下地プレート１１を上記離間形成部８ａとの間に挟むクリップ部８ｂとを備える。
【００２２】
上記治具８を用いた取り付けにおいては、上記下地部材１に上記治具８をクリップ部８ｂで挟み、当該治具８を上記下地部材１と上記断熱材６２のとの間に介在させた状態で、上記ビス３の本体部３１を上記ガイド開口部２１に挿通し、上記本体部３１の先端側を上記間柱５１にねじ込む。そして、上記治具８を外して上記下地プレート１１を横方向にスライドさせて、上記ビス３の頭部３２を上記係合部２２に係合させる。上記治具８によって上記下地部材１と建物側の構成部との間に適切な離間距離による通気層を確保して上記下地部材１を上記建物側の構成部に固定することができる。なお、厚みの異なる上記治具を適宜使用することで、離間距離（通気層）の調整を容易にすることができる。
【００２３】
上記の構成であれば、外付け部材７等を外壁表面に取り付けることにおいて、防腐処理が必要な木材による下地を廃することができるので、防水シートを用いてもその防水性能を低下させることがない。また、金属製のプレートは安価であり、下地部材を低コストで作製できる。
【００２４】
上記下地プレート１１が長方形に形成され、また、各ビス取付部２が２組のガイド開口部２１および係合部２２を有し、上記２つのガイド開口部２１がその長辺方向を交差させるように位置させていると、１つの下地部材１において縦長配置と横長配置のいずれかを選択することができる。このような構造を有する他の例である下地部材１Ａを図７に示す。この下地部材１Ａでは、各ビス取付部２の２組のガイド開口部２１が略Ｔ字状に配置されている。また、上記ビス取付部２の個数は２個とされた構成が例示されている。
【００２５】
上記下地部材１Ａに対し、上記下地部材１であれば、２つのガイド開口部２１が鉤状に接続されており、この接続の箇所で上記ビス３の挿通が行えるので、上記ビス３の挿通箇所の共通化が図られ、作業が容易になる。
【００２６】
図８（Ａ）および図８（Ｂ）に示すように、各ビス取付部２が１組のガイド開口部２１および係合部２２を有する構成とされ、下地プレート１１が長方形に形成された下地部材１Ｂにおいても、下地プレート１１を縦長配置にして柱５や間柱５１に縦に固定する態様、或いは、横長配置にして桟木等に横に固定する態様とすることができる。ただし、上記下地部材１Ｂは、縦配置専用或いは横配置専用の下地となる。
【００２７】
上記下地部材１、１Ａ、１Ｂは、上記ガイド開口部２１の長辺方向が上記下地プレート１１の辺の方向に平行であったが、これに限らない。例えば、上記ガイド開口部２１が、上記半円切欠部２１ｂよりも上記半円切欠部２１ａが上になる斜めに形成されてもよい。
【００２８】
また、図３に示した下地部材取り付け例では、下地部材１を縦長配置で間柱５１に固定したが、柱５に取り付けてもよい。また、このときに４個のビス取付部２の全てにビス３を設けると、重い荷重が加わる外付け部材７の固定にも対応できることになる。
【００２９】
また、この実施形態では、断熱材が柱の外側面に配置される建物に上記下地部材１を取り付けた例を示したが、断熱材が柱間に配置される建物、或いは断熱材が配置されない建物にも上記下地部材１を取り付けることができる。なお、このような場合には、防水シートは例えば柱５および間柱５１の外面に貼り付けられる。
【００３０】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３１】
１、１Ａ、１Ｂ      下地部材
１１    下地プレート
２      ビス取付部（締結具取付部）
２１    ガイド開口部
２２    係合部
２２ａ  上部側
２２ｂ  下部側
３    ビス（締結具）
３１  本体部
３２  頭部
５    柱
５１  間柱
７    外付け部材
８    治具
【図１】
2015090045.tif 000003
【図２】
2015090045.tif 000004
【図３】
2015090045.tif 000005
【図４】
2015090045.tif 000006
【図５】
2015090045.tif 000007
【図６】
2015090045.tif 000008
【図７】
2015090045.tif 000009
【図８】
2015090045.tif 000010